【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
走査可能コードを走査することであって、前記走査可能コードは、サービスプロバイダのネットワークのネットワークアクセス認証情報を含む、走査することと、
ネットワーク識別情報及び無線ネットワークパスワードを介して、無線ネットワークにアクセスすることであって、前記ネットワーク識別情報及び前記ネットワークパスワードは前記走査可能コード内に含まれる、アクセスすることと、
アクセスデバイスの無線ネットワークアクセス情報を使用して、無線ネットワークアクセスをセットアップすることと、
前記サービスプロバイダのネットワークにアクセスすることと
を含む方法。
【請求項２】
前記走査可能コードは、前記アクセスデバイスの機械的構造に組み込まれる、請求項１に記載の方法。
【請求項３】
前記走査可能コードは、前記アクセスデバイス上のステッカーである、請求項１に記載の方法。
【請求項４】
前記走査可能コードは、公共のエリアの好都合な電化製品上のステッカーである、請求項１に記載の方法。
【請求項５】
前記走査可能コードはＱＲコードである、請求項１〜４の何れか一項に記載の方法。
【請求項６】
前記ネットワークアクセス情報は、Ｗｉ−Ｆｉプロテクテッドセットアップ（ＷＰＳ）個人識別番号（ＰＩＮ）である、請求項１〜５の何れか一項に記載の方法。
【請求項７】
ブラウザを起動することと、
アクセスデバイスのＩＰアドレスにブラウジングして、前記アクセスデバイスのウェブ構成ページにアクセスすることと、
ログイン認証情報を用いて、前記アクセスデバイスの前記ウェブ構成ページにログインすることと
を更に含む請求項１に記載の方法。
【請求項８】
前記ブラウザは自動的に起動する、請求項７に記載の方法。
【請求項９】
前記アクセスデバイスの前記ウェブ構成ページへの前記ログインは、自動的である、請求項７〜８の何れか一項に記載の方法。
【請求項１０】
前記ネットワーク識別情報はＳＳＩＤである、請求項１〜９の何れか一項に記載の方法。
【請求項１１】
請求項１〜１０の何れか一項に記載の方法に従って、走査可能コードを走査するカメラであって、前記走査可能コードは、サービスプロバイダのネットワークのネットワークアクセス認証情報を含む、カメラ
を備える、走査装置。
【請求項１２】
サービスプロバイダのネットワークのネットワークアクセス認証情報を含む走査可能コードを使用して、無線ネットワークにアクセスするための、非一時的コンピュータ可読媒体に記憶されるコンピュータプログラムであって、
ネットワーク識別情報及び無線ネットワークパスワードを介して、無線ネットワークにアクセスするコンピュータ実行可能命令であって、前記ネットワーク識別情報及び前記ネットワークパスワードは、前記走査可能コード内に含まれる、アクセスするコンピュータ実行可能命令と、
アクセスデバイスの無線ネットワークアクセス情報を使用して、無線ネットワークアクセスをセットアップするコンピュータ実行可能命令と、
前記サービスプロバイダのネットワークにアクセスするコンピュータ実行可能命令と
を含む、コンピュータプログラム。
【請求項１３】
ブラウザを起動するコンピュータ実行可能命令と、
アクセスデバイスのＩＰアドレスにブラウジングして、前記アクセスデバイスのウェブ構成ページにアクセスするコンピュータ実行可能命令と、
ログイン認証情報を用いて前記アクセスデバイスの前記ウェブ構成ページにログインするコンピュータ実行可能命令と
をさらに含む、請求項１２に記載のコンピュータプログラム。
【手続補正２】
【補正対象書類名】明細書
【補正対象項目名】００２６
【補正方法】変更
【補正の内容】
【００２６】
添付図面に示されている構成システムの構成要素及びプロセスステップの一部が好ましくはソフトウェアによって実施されるため、システムの構成要素（又はプロセスステップ）間の実際のつながりは、本発明をプログラムする方法に応じて異なり得ることが更に理解される。当業者であれば、本明細書の内容に基づいて、本発明のこれらの及び同様の実施態様又は構成を考えることができる。
［付記１］
走査可能コードを使用する方法であって、
前記走査可能コードを走査することと、
ブラウザを起動することと、
アクセスデバイスのＩＰアドレスにブラウジングして、前記アクセスデバイスのウェブ構成ページにアクセスすることと、
デフォルトログイン認証情報を用いて、前記アクセスデバイスの前記ウェブ構成ページにログインすることと、
デフォルトネットワーク識別情報及びデフォルト無線ネットワークパスワードを介して、デフォルト無線ネットワークにアクセスすることと、
前記アクセスデバイスのデフォルト無線ネットワークアクセス情報を使用して、前記デフォルト無線ネットワークをセットアップすることと
を含む方法。
［付記２］
前記走査可能コードは、前記アクセスデバイスの機械的構造に組み込まれる、付記１に記載の方法。
［付記３］
前記走査可能コードは、前記アクセスデバイス上のステッカーである、付記１に記載の方法。
［付記４］
前記走査可能コードは、公共のエリアの好都合な電化製品上のステッカーである、付記１に記載の方法。
［付記５］
前記走査可能コードは、ＱＲコードである、付記１に記載の方法。
［付記６］
前記デフォルトネットワークアクセス情報は、Ｗｉ−Ｆｉプロテクテッドセットアップ（ＷＰＳ）個人識別番号（ＰＩＮ）である、付記１に記載の方法。
［付記７］
前記ブラウザは自動的に起動する、付記１に記載の方法。
［付記８］
前記アクセスデバイスの前記ウェブ構成ページへの前記ログインは、自動的である、付記１に記載の方法。
［付記９］
前記デフォルトネットワーク識別情報はＳＳＩＤである、付記１に記載の方法。
［付記１０］
アクセスデバイスの機械的構造に組み込まれた走査可能コードであって、前記走査可能コードは、無線ネットワークへのアクセスを望むデバイスにおいてプログラム命令を呼び出し、前記プログラム命令は、
ブラウザを起動する機能と、
アクセスのＩＰアドレスにブラウジングして、前記アクセスデバイスのウェブ構成ページにアクセスする機能と、
デフォルトログイン認証情報を用いて前記アクセスデバイスの前記ウェブ構成ページにログインする機能と、
デフォルトネットワーク識別情報及びデフォルト無線ネットワークパスワードを介して、デフォルト無線ネットワークにアクセスする機能と、
前記アクセスデバイスのデフォルト無線ネットワークアクセス情報を使用して、前記デフォルト無線ネットワークをセットアップする機能と
を実行する、走査可能コード。
［付記１１］
前記走査可能コードはＱＲコードである、付記１０に記載の装置。
［付記１２］
前記デフォルトネットワークアクセス情報は、Ｗｉ−Ｆｉプロテクテッドセットアップ（ＷＰＳ）個人識別番号（ＰＩＮ）である、付記１０に記載の装置。
［付記１３］
前記ブラウザは自動的に起動する、付記１０に記載の装置。
［付記１４］
前記アクセスデバイスの前記ウェブ構成ページへの前記ログインは、自動的である、付記１０に記載の装置。
［付記１５］
前記デフォルトネットワーク識別情報はＳＳＩＤである、付記１０に記載の装置。
［付記１６］
アクセスデバイス上のステッカー上又は別の好都合な場所に取り付けられる走査可能コードであって、前記走査可能コードは、無線ネットワークへのアクセスを望むデバイスにおいてプログラム命令を呼び出し、前記プログラム命令は、
ブラウザを起動する機能と、
アクセスのＩＰアドレスにブラウジングして、前記アクセスデバイスのウェブ構成ページにアクセスする機能と、
デフォルトログイン認証情報を用いて前記アクセスデバイスの前記ウェブ構成ページにログインする機能と、
デフォルトネットワーク識別情報及びデフォルト無線ネットワークパスワードを介して、デフォルト無線ネットワークにアクセスする機能と、
前記アクセスデバイスのデフォルト無線ネットワークアクセス情報を使用して、前記デフォルト無線ネットワークをセットアップする機能と
を実行する、走査可能コード。
［付記１７］
前記走査可能コードはＱＲコードである、付記１６に記載の装置。
［付記１８］
前記デフォルトネットワークアクセス情報は、Ｗｉ−Ｆｉプロテクテッドセットアップ（ＷＰＳ）個人識別番号（ＰＩＮ）である、付記１６に記載の装置。
［付記１９］
前記ブラウザは自動的に起動する、付記１６に記載の装置。
［付記２０］
前記アクセスデバイスの前記ウェブ構成ページへの前記ログインは、自動的である、付記１６に記載の装置。
［付記２１］
前記デフォルトネットワーク識別情報はＳＳＩＤである、付記１６に記載の装置。